(57)【要約】【課題】望遠で撮影を行っている場合においても、観察している被写体の周囲の被写体に対する位置関係を確認できる撮影装置、撮影装置における表示制御方法及び撮影装置の制御に用いられるコンピュータプログラムを提供する。【解決手段】画角を変更させることが可能な撮影装置を、被写体の被写体像を撮像する撮像素子を有し、撮像素子により撮像された被写体像を記録する記録部と、記録部から読み出された被写体像を表示する表示部と、表示部に表示されている被写体像に、現在設定されている画角を表す枠を重畳させて表示する枠表示手段とから構成する。【選択図】図２
2016086289.tif 000002
【特許請求の範囲】
【請求項１】
画角を変更させることが可能な撮影装置であって、
被写体の被写体像を撮像する撮像素子を有し、該撮像素子により撮像された該被写体像を記録する記録部と、
前記記録部から読み出された被写体像を表示する表示部と、
前記表示部に表示されている前記被写体像に、現在設定されている前記画角を表す枠を重畳させて表示する枠表示手段と、を備える、
撮影装置。
【請求項２】
前記枠表示手段は、前記画角が狭まるように変更された場合に、前記表示部に表示する前記枠の大きさを該変更された画角の大きさに応じて変更する、
請求項１に記載の撮影装置。
【請求項３】
前記撮影装置の移動量及び移動方向を検知する撮影装置移動検知部を更に備え、
前記枠表示手段は、前記撮影装置移動検知部によって検知された前記撮影装置の移動量及び移動方向に応じて、前記表示部の前記枠が表示される位置を変更する、
請求項１又は請求項２に記載の撮影装置。
【請求項４】
前記撮像素子を光軸に垂直な面内における位置を移動させる撮像素子補正手段を更に備え、
前記枠表示手段は、前記撮像素子の前記光軸に垂直な面内における移動量に応じて前記表示部に表示する前記枠の位置を変更する、
請求項１から請求項３の何れか一項に記載の撮影装置。
【請求項５】
前記記録部から読み出された被写体像と前記撮像素子により撮像されている被写体像とを比較することにより、前記撮影装置に対する前記被写体の移動量及び移動方向を検知する被写体移動検知部を更に備え、
前記枠表示手段は、前記被写体移動検知部によって検知された前記被写体の移動量及び移動方向に応じて、前記表示部の前記枠が表示される位置を変更する、
請求項１から請求項４の何れか一項に記載の撮影装置。
【請求項６】
前記表示部は、前記記録部から読み出された被写体像を、前記撮像素子により撮像されている被写体像と共に表示する、
請求項１から請求項５の何れか一項に記載の撮影装置。
【請求項７】
被写体の被写体像を撮像する撮像素子を有し、該撮像素子により撮像された該被写体像を記録する記録部と、該記録部から読み出された被写体像を表示する表示部とを備え、画角を変更させることが可能な撮影装置における表示制御方法であって、
前記記録部から被写体像を読み出して前記表示部に表示する表示ステップと、
前記表示部に表示されている前記被写体像に、現在設定されている前記画角を表す枠を重畳させて表示する枠表示ステップと、を含む、
表示制御方法。
【請求項８】
前記枠表示ステップにおいて、前記画角が狭まるように変更された場合に、前記表示部に表示する前記枠の大きさを該変更された画角の大きさに応じて変更する、
請求項７に記載の表示制御方法。
【請求項９】
被写体の被写体像を撮像する撮像素子を有し、該撮像素子により撮像された該被写体像を記録する記録部と、該記録部から読み出された被写体像を表示する表示部とを備え、画角を変更させることが可能な撮影装置の制御に用いられるプログラムであって、
前記記録部から被写体像を読み出して前記表示部に表示する表示ステップと、
前記表示部に表示されている前記被写体像に、現在設定されている前記画角を表す枠を重畳させて表示する枠表示ステップと、を含む、
コンピュータプログラム。
【請求項１０】
前記枠表示ステップにおいて、前記画角の大きさが望遠側に変更された場合に、前記表示部に表示する前記枠の大きさを該変更された画角の大きさに応じて変更する、
請求項９に記載のコンピュータプログラム。
【発明の詳細な説明】
【技術分野】
【０００１】
本発明は、画角を変更可能な撮影装置、当該撮影装置における表示制御方法及び当該撮影装置の制御に用いられるコンピュータプログラムに関する。
【背景技術】
【０００２】
ズームレンズやバリフォーカルレンズの使用や、レンズの付け替えによってレンズの焦点距離を変えて、画角を変更可能な撮影装置が知られている。このような撮影装置として、特許文献１に、画角を変更可能な撮影装置が開示されている。
【０００３】
特許文献１に記載の撮影装置では、撮影装置の画角を広角側から望遠側に変更する際に、表示画面に表示されているスルー画（ライブビュー）上に、撮影装置の最も望遠側の画角に対応した枠が重畳して表示される。これにより、ユーザは、画角を変更することなく、最も望遠側の画角を表示画面上で確認することができる。
【先行技術文献】
【特許文献】
【０００４】
【特許文献１】特開平５−１６５０８８
【発明の概要】
【発明が解決しようとする課題】
【０００５】
特許文献１に記載の撮影装置では、画角を望遠側に変更する前に、変更後の画角を表示画面上で確認できる。しかしながら、一旦、撮影装置の画角が望遠側に変更されると、広角側で撮影した場合の被写体像を確認できないため、望遠側で撮像している被写体と、その周囲の被写体との位置関係が分かり難くなるという問題が生じる。例えば、天体撮影を行っている場合や、山並みなどの似たような形状を有する複数の被写体の一つの撮影を行っている場合、望遠側で観察している被写体とその周囲の被写体との位置関係が分からないため、現在表示画面に表示されている被写体像が所望の被写体の被写体像であるか否かが判別できなくなる可能性があった。また、被写体の位置を確認するために画角を広角側に変更すると、撮影装置のレンズの最適なピント位置が変化する可能性がある。その場合、画角を望遠側に戻した場合に、再度ピント調整を行う必要があった。
【０００６】
本発明は上記の事情に鑑みてなされたものであり、その目的とするところは、望遠で撮影を行っている場合においても、観察している被写体の周囲の被写体に対する位置関係を確認できる撮影装置、撮影装置における表示制御方法及び撮影装置の制御に用いられるコンピュータプログラムを提供することである。
【課題を解決するための手段】
【０００７】
本発明の実施形態の撮影装置は、画角を変更させることが可能な撮影装置であって、被写体の被写体像を撮像する撮像素子を有し、撮像素子により撮像された被写体像を記録する記録部と、記録部から読み出された被写体像を表示する表示部と、表示部に表示されている被写体像に、現在設定されている画角を表す枠を重畳させて表示する枠表示手段と、を備える。
【０００８】
本実施形態によれば、記録部から読み出された被写体像に、現在設定されている撮影装置の画角を表す枠が重畳されて表示部に表示される。そのため、枠で示される現在撮像されている被写体像と、その周囲の被写体との位置関係を確認することができる。
【０００９】
枠表示手段は、画角が狭まるように変更された場合に、表示部に表示する枠の大きさを変更された画角の大きさに応じて変更してもよい。
【００１０】
撮影装置は、撮影装置の移動量及び移動方向を検知する撮影装置移動検知部を更に備えてもよい。この場合、枠表示手段は、撮影装置移動検知部によって検知された撮影装置の移動量及び移動方向に応じて、表示部の枠が表示される位置を変更する。
【００１１】
撮影装置は、撮像素子を光軸に垂直な面内における位置を移動させる撮像素子補正手段を更に備えてもよい。この場合、枠表示手段は、撮像素子の光軸に垂直な面内における移動量に応じて表示部に表示する枠の位置を変更する。
【００１２】
撮影装置は、記録部から読み出された被写体像と撮像素子により撮像されている被写体像とを比較することにより、撮影装置に対する被写体の移動量及び移動方向を検知する被写体移動検知部を更に備えてもよい。この場合、枠表示手段は、被写体移動検知部によって検知された被写体の移動量及び移動方向に応じて、表示部の枠が表示される位置を変更する。
【００１３】
表示部は、記録部から読み出された被写体像を、撮像素子により撮像されている被写体像と共に表示してもよい。
【００１４】
本発明の実施形態の表示制御方法は、被写体の被写体像を撮像する撮像素子を有し、撮像素子により撮像された被写体像を記録する記録部と、記録部から読み出された被写体像を表示する表示部とを備え、画角を変更させることが可能な撮影装置における表示制御方法であって、記録部から被写体像を読み出して表示部に表示する表示ステップと、表示部に表示されている被写体像に、現在設定されている画角を表す枠を重畳させて表示する枠表示ステップと、を含む。
【００１５】
本発明の実施形態のコンピュータプログラムは、被写体の被写体像を撮像する撮像素子を有し、撮像素子により撮像された被写体像を記録する記録部と、記録部から読み出された被写体像を表示する表示部とを備え、画角を変更させることが可能な撮影装置の制御に用いられるプログラムであって、記録部から被写体像を読み出して表示部に表示する表示ステップと、表示部に表示されている被写体像に、現在設定されている画角を表す枠を重畳させて表示する枠表示ステップと、を含む。
【発明の効果】
【００１６】
本発明の実施形態によれば、望遠で撮影を行っている場合においても、観察している被写体の周囲の被写体に対する位置関係を確認できる撮影装置、撮影装置における表示制御方法及び撮影装置の制御に用いられるコンピュータプログラムが提供される。
【図面の簡単な説明】
【００１７】
【図１】本発明の第１の実施形態にかかる撮影装置の構成を示すブロック図である。
【図２】本発明の第１の実施形態にかかる撮影装置の制御に関するフローチャートである。
【図３】本発明の第１の実施形態にかかるＬＣＤに表示されるライブビューの被写体像である。
【図４】本発明の第１の実施形態にかかるＬＣＤに表示される被写体像である。
【図５】本発明の第１の実施形態にかかるＬＣＤに表示される被写体像である。
【図６】本発明の第１の実施形態にかかるＬＣＤに表示されるライブビューの被写体像である。
【図７】本発明の第１の実施形態にかかるＬＣＤに表示される被写体像である。
【図８】本発明の第２の実施形態にかかるＬＣＤに表示される被写体像である。
【図９】本発明の第４の実施形態にかかるＬＣＤに表示される被写体像である。
【図１０】本発明の第１の実施形態の変形例にかかるＬＣＤに表示される被写体像である。
【図１１】本発明の第１の実施形態の変形例にかかる撮影装置の制御に関するフローチャートである。
【発明を実施するための形態】
【００１８】
（第１の実施形態）
以下、本発明の第１の実施形態の撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００１９】
図１は、本実施形態の撮影装置１の構成を示すブロック図である。図１に示されるように、撮影装置１は、ＣＰＵ（Central Processing Unit）１００、操作部１０２、絞り・シャッタ駆動回路１０４、撮影レンズ１０６、レンズ駆動機構１０７、焦点距離検出回路１０８、絞り１０９、シャッタ１１０、レンズ駆動回路１１１、固体撮像素子１１２、撮像素子補正機構１１３、信号処理回路１１４、画像処理エンジン１１６、内蔵メモリ１１８、カード用インタフェース１２０、ＬＣＤ（Liquid Crystal Display）制御回路１２２、ＬＣＤ１２４、ＲＯＭ（Read Only Memory）１２６、ジャイロセンサ１３０、加速度センサ１３２、ＧＰＳ（Global Positioning System）センサ１３４及び方位センサ１３６を備えている。
【００２０】
操作部１０２には、電源スイッチやシャッタボタン、撮影モードスイッチなど、ユーザが撮影装置１を操作するために必要な各種スイッチが含まれる。ユーザにより電源スイッチが押されると、図示省略されたバッテリから撮影装置１の各種回路に電源ラインを通じて電源供給が行われる。ＣＰＵ１００は電源供給後、ＲＯＭ１２６にアクセスして制御プログラムを読み出してワークエリア（不図示）にロードし、ロードされた制御プログラムを実行することにより、撮影装置１全体の制御を行う。
【００２１】
被写体からの光束は、撮影レンズ１０６、絞り１０９、シャッタ１１０を通過して固体撮像素子１１２の受光面で受光される。撮影レンズ１０６は複数のレンズを備えている。複数のレンズの少なくとも一つは、レンズ駆動機構１０７によって光軸に沿って移動可能である。レンズ駆動機構１０７によってレンズが移動することにより、撮影レンズ１０６の焦点距離が変化する。撮影レンズ１０６の焦点距離は、焦点距離検出回路１０８によって検出される。
【００２２】
固体撮像素子１１２は、ベイヤ型画素配置を有する単板式カラーＣＣＤ（Charge Coupled Device）イメージセンサである。固体撮像素子１１２は、受光面上の各画素で結像した光学像を光量に応じた電荷として蓄積して、Ｒ（Red）、Ｇ（Green）、Ｂ（Blue）の画像信号を生成して出力する。なお、固体撮像素子１１２は、ＣＣＤイメージセンサに限らず、ＣＭＯＳ（Complementary Metal Oxide Semiconductor）イメージセンサやその他の種類の撮影素子に置き換えられてもよい。固体撮像素子１１２はまた、補色系フィルタを搭載したものであってもよい。
【００２３】
信号処理回路１１４は、固体撮像素子１１２より入力される画像信号に対してクランプ、デモザイク等の所定の信号処理を施して、画像処理エンジン１１６に出力する。画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成する。また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基にＬＣＤ１２４を変調制御する。これにより、被写体の画像（被写体像）がＬＣＤ１２４に表示される。ユーザは、ＬＣＤ１２４を通して、リアルタイムの被写体像（ライブビュー）を視認することができる。ここで、ＬＣＤ１２４に表示されるライブビューは、撮影レンズ１０６の焦点距離に応じた画角で表示される。そのため、撮影レンズ１０６の焦点距離を変化させることにより、ＬＣＤ１２４に表示される被写体像の範囲（画角）が変更される。
【００２４】
ＬＣＤ１２４にライブビューが表示されている状態でシャッタボタンが半押しされると、撮影装置１は撮影待機状態から記録準備状態となる。撮影装置１の露出条件が自動で調節されるように設定されている場合、記録準備状態において、ＣＰＵ１００は、ＡＥ（Automatic Exposure）制御を行う。ＡＥ制御では、撮影装置１に内蔵されたＴＴＬ（Through The Lens）露出計（不図示）で測定された測光値に基づき適正露出が得られるように、後述する記録処理時の露出条件（シャッタスピード、絞り値、ＩＳＯ（International Organization for Standardization）感度）が決定される。露出条件の決定は、プログラムＡＥ、シャッタ速度優先ＡＥ、絞り優先ＡＥなど、撮影モードスイッチにより指定されるＡＥ機能に基づいて行われる。なお、この種のＡＥの構成及び制御については周知であるため、ここでの詳細な説明は省略する。
【００２５】
また、撮影装置１のピントが自動で調節されるように設定されている場合、記録準備状態において、ＣＰＵ１００はＡＦ（Autofocus）制御を行う。ＡＦ制御では、被写体像の全体又は一部に対してピントが合うように、レンズ駆動回路１０３を介してレンズ１０６が駆動制御される。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。なお、この種のＡＦの構成及び制御については周知であるため、ここでの詳細な説明は省略する。
【００２６】
シャッタボタンが半押しされた状態から更に押下されて全押しされると、ＣＰＵ１００は被写体像の記録処理を実行する。記録処理では、ＡＥ制御で決定された露出条件（又は、手動で設定された露出条件）及びＡＦ制御で調節されたレンズ１０６の位置で被写体像が撮影され、画像処理エンジン１１６において撮影画像データが生成される。生成された撮影画像データは、ＪＰＥＧ（Joint Photographic Experts Group）等の所定のフォーマットで圧縮され、カード用インタフェース１２０を介してメモリカード２００（又は、内蔵メモリ１１８）に記録される。また、撮影画像データの保存形式は、ＪＰＥＧ形式に限らず、例えば、ＲＡＷ形式であってもよい。
【００２７】
画像処理エンジン１１６は、ユーザにより操作部１０２に対して撮影画像データの再生操作が行われると、操作により指定された撮影画像データをメモリカード２００又は内蔵メモリ１１８より読み出して所定のフォーマットの画像信号に変換し、ＬＣＤ制御回路１２２に出力する。ＬＣＤ制御回路１２２が画像処理エンジン１１６より入力される画像信号を基にＬＣＤ１２４を変調制御することで、撮影画像データに基づく被写体像がＬＣＤ１２４に表示される。
【００２８】
ジャイロセンサ１３０は、３軸ジャイロセンサであり、撮影装置１の互いに直交する３つの軸の周りにおける回転角度を検知する。ＣＰＵ１００は、ジャイロセンサ１３０から出力された回転角度情報に基づいて、撮影装置１の回転角度及び回転方向を計算する。具体的には、シャッタボタンが半押しされると、ＣＰＵ１００により、シャッタボタンが押されたタイミングを基準位置とした場合の撮影装置１の回転角度及び回転方向が計算される。計算された回転角度及び回転方向は、固体撮像素子１１２の位置の補正に使用される。
【００２９】
固体撮像素子１１２は、撮像素子補正機構１１３を介して、受光面に垂直な面内（撮影レンズ１０６の光軸に垂直な面内）において移動及び回転可能である。固体撮像素子１１２の位置が固定されている場合、撮像素子１が記録処理を実行している間に撮影装置１が回転すると、記録される被写体像にブレが生じる。本実施形態の撮影装置１は、被写体像のブレを抑制するためのブレ補正機能を有している。撮像素子１のブレ補正機能が有効に設定されている場合、固体撮像素子１１２は、ジャイロセンサ１３０からの出力に基づいて計算された撮影装置１の回転角度及び回転方向に基づいて移動又は回転される。これにより、撮影装置１の回転に伴って生じる被写体像のブレを抑制することができる。
【００３０】
加速度センサ１３２は、３軸の加速度センサであり、撮影装置１の互いに直交する３方向の加速度を検知する。ＣＰＵ１００は、加速度センンサ１３２から出力された加速度情報に基づいて、撮影装置１の傾き（ロール（光軸周りの姿勢）、ピッチ（仰俯角））を計算する。ＧＰＳセンサ１３４は、撮影装置１の座標（経度及び緯度）を計測するためのセンサである。ＣＰＵ１００はＧＰＳセンサ１３４からの出力に基づいて、撮影装置１の座標を計算し、被写体像の記録処理を実行する際に、撮影画像データに座標情報を付加する。方位センサ１３６は、磁気方位センサである。ＣＰＵ１００は、方位センサ１３４からの出力に基づいて、撮影装置１（撮影レンズ１０６の光軸）がどの方位（方角）を向いているかを計算する。
【００３１】
本実施形態の撮影装置１は、シャッタボタンが半押しされる前の撮影待機状態として、通常待機モードと基準画像記録モードの２つの待機動作モードを備える。撮影装置１の待機動作モードが通常待機モードに設定されている場合、撮影待機状態時においてＬＣＤ１２４にはライブビューが表示される。撮影装置１の待機動作モードが基準画像記録モードに設定されている場合、撮影装置１（撮影レンズ１０６）の焦点距離に応じて、基準画像の記録処理が行われる。基準画像は、ユーザが現在撮影されている被写体を確認するため、基準として使用される静止画像である。また、撮影装置１の待機動作モードが基準画像記録モードに設定されている場合、撮影待機状態時においてＬＣＤ１２４には、ライブビュー又は記録されている基準画像が表示される。
【００３２】
以下では、撮影装置１の待機動作モードが基準画像記録モードに設定されている場合における、撮影装置１の動作について、フローチャートを用いて説明する。図２は、撮影装置１で実行される処理の内、基準画像記録モードにおける、撮影装置１の動作に関するフローチャートである。なお、図２に示されるフローチャートは、撮影装置１のメインフローと並列に動作するサブルーチンとして実行されても良い。
【００３３】
処理ステップＳ１では、ＣＰＵ１００により、撮影装置１の待機動作モードが基準画像記録モードであるか否かが判定される。処理ステップＳ１において、撮影装置１の待機動作モードが基準画像記録モードではないと判定された場合（Ｓ１：ＮＯ）、基準画像記録モードにおける撮影装置１の制御処理が終了する。撮影装置１が基準画像記録モードではないと判定される場合としては、例えば、ユーザにより、操作部１０２に対して、撮影装置１の待機動作モードを基準画像記録モードから通常待機モードに切り替える操作が入力された場合である。また、操作部１０２に対して、メニュー表示の呼び出しや記録処理の実行を指示する操作が入力されてＬＣＤ１２４にライブビュー以外の画面を表示する処理が行われた場合や、撮影装置１の電源を切る操作が入力された場合においても、撮影装置１が基準画像記録モードではないと判定される。
【００３４】
撮影装置１の待機動作モードが基準画像記録モードであると判定された場合（Ｓ１：ＹＥＳ）、処理ステップＳ２に進む。撮影装置１は、基準画像記録モードにおいて、ライブビュー表示モードと基準画像表示モードとの２つの表示モードを有する。撮影装置１の表示モードは、デフォルトではライブビュー表示モードに設定されている。処理ステップＳ２では、ＬＣＤ１２４にライブビューの被写体像が表示される。図３は、撮影装置１を用いて天体撮影を行っている場合に、処理ステップＳ２においてＬＣＤ１２４に表示されるライブビューの被写体像１０である。図３に示されるように、ＬＣＤ１２４には、固体撮像素子１１２によって撮像されている複数の天体（星）２０が表示されている（図３においては、便宜上、一つの天体にのみ指示線を付す。）。
【００３５】
処理ステップＳ３では、ＣＰＵ１００により、ユーザによって操作部１０２に対して撮影装置１の表示モードがライブビュー表示モードから基準画像表示モードに切り替える操作が行われたか否かが判定される。撮影装置１が基準画像表示モードに切り替えられていない（ライブビュー表示モードが維持されている）と判定された場合（Ｓ３：ＮＯ）、処理ステップＳ１に戻る。一方、撮影装置１が基準画像表示モードに切り替えられたと判定された場合（Ｓ３：ＹＥＳ）、次の処理ステップＳ４に進む。
【００３６】
処理ステップＳ４では、撮影装置１が基準画像表示モードに切り替わった時点でライブビューとして表示されている被写体像１０と撮影レンズ１０６の焦点距離（ｆ）が、基準画像データとして撮影装置１の内蔵メモリ１１８に記録される。基準画像データが内蔵メモリ１１８に記録されると、処理ステップＳ５に進む。
【００３７】
処理ステップＳ５では、ＣＰＵ１００により、撮影装置１の待機動作モードが基準画像記録モードであるか否かが判定される。待機動作モードが基準画像記録モードであると判定された場合（Ｓ５：ＹＥＳ）、処理ステップＳ６に進む。一方、待機動作モードが基準画像記録モードではないと判定された場合（Ｓ５：ＮＯ）、基準画像記録モードにおけるＬＣＤ１２４の表示形態の制御処理が終了する。
【００３８】
処理ステップＳ６では、処理ステップＳ４において記録された被写体像（基準画像）が内蔵メモリ１１８から読み出されて、ＬＣＤ１２４に静止画像として表示される。また、ＣＰＵ１００により、焦点距離検出回路１０８によって検知された撮影レンズ１０６の現在の焦点距離と、処理ステップＳ４において基準画像データとして記録された焦点距離に基づいて計算された撮影装置１の現在の画角を表す枠が、静止画像である被写体像に重畳されてＬＣＤ１２４に表示される。なお、処理ステップＳ３において、表示モードが基準画像表示モードに切り替わった時点から撮影レンズ１０６の焦点距離が変化していない場合、画角を表す枠の大きさはＬＣＤ１２４に表示されている被写体像の大きさと同じである。処理ステップＳ６における表示処理では、現在の画角を表す枠の大きさがＬＣＤ１２４の表示範囲の大きさと同じか超える場合は、枠を非表示としてもよい。図４は、処理ステップＳ６において、ＬＣＤ１２４に表示される被写体像３０ａを示している。図４では、撮影装置１の画角の大きさはＬＣＤ１２４に表示されている被写体像３０ａの大きさと同じであり、枠は非表示となっている。また、図４に示される被写体像３０ａは、内蔵メモリから読み出された静止画像であり、ライブビューではない。
【００３９】
処理ステップＳ７では、ＣＰＵ１００により、撮影レンズ１０６の焦点距離が変更されることにより、撮影装置１の画角が変更されたか否かが判定される。撮影レンズ１０６の焦点距離は、図２に示されるフローチャートとは独立に手動で変更可能である。そのため、処理ステップＳ６で内蔵メモリ１１８から読み出された被写体像が表示された後に、撮影レンズ１０６の焦点距離が変更されて、撮影装置１の画角が変更され得る。処理ステップＳ７において、撮影レンズ１０６の焦点距離（ｆ）が変更されたと判定された場合（Ｓ７：ＹＥＳ）、処理ステップＳ８に進む。
【００４０】
処理ステップＳ８では、撮影装置１の変更後の画角が、内蔵メモリ１１８に記録されている被写体像の画角より小さいか（望遠側か）、又は、内蔵メモリ１１８に記録されている被写体像の画角以上か（広角側か）が判定される。ここで、撮影装置１の画角は、被写体像が撮影された時に設定されていた（基準画像データとして記録されている）撮影レンズ１０６の焦点距離に対応する。言い換えると、処理ステップＳ８では、処理ステップＳ７で変更された後の（現在の）焦点距離と、基準画像データとして内蔵メモリ１１８に記録されている（過去の）焦点距離とが比較される。処理ステップＳ８において、変更後の焦点距離が、基準画像データとして記録されている焦点距離より大きい（望遠側）と判定された場合（Ｓ８：ＹＥＳ）、処理ステップＳ９に進む。処理ステップＳ９では、内蔵メモリ１１８に基準画像データとして記録されている被写体像（基準画像）をベースに、変更後の焦点距離に対応する画角を表す枠の大きさがＣＰＵ１００により算出される。ＣＰＵ１００により算出された大きさの枠は、静止画像として表示されている被写体像（基準画像）に重畳してＬＣＤ１２４に表示される。図５は、処理ステップＳ９において、ＬＣＤ１２４に表示される被写体像３０ａ及び枠４０ａを示している。被写体像３０ａは処理ステップＳ６において、内蔵メモリ１１８から読み出された基準画像の静止画像である。枠４０ａは、現在の撮影装置１の画角を表している。現在の画角は、被写体像３０ａが撮影された時よりも狭まるように（望遠側に）変更されているため、現在の画角を表す枠４０ａの大きさは被写体像３０ａよりも小さく表示される。
【００４１】
処理ステップＳ８において、撮影装置１の変更後の焦点距離が、内蔵メモリ１１８に記録されている被写体像を取得した焦点距離以下（広角側）と判定された場合（Ｓ８：ＮＯ）、処理ステップＳ１０に進む。処理ステップＳ１０では、焦点距離の変更後に固体撮像素子１１２によって撮像されている被写体像（ライブビュー）と焦点距離（ｆ）が、所定のタイミングで基準画像データとして内蔵メモリ１１８に記録される。この時、元々内蔵メモリ１１８に記録されていた基準画像データは削除される。言い換えると、処理ステップＳ１０では、先に取得されていた基準画像データが、より画角の大きい（広い）基準画像データによって更新される。次いで、処理ステップＳ１１において、撮影装置１の表示モードが基準画像表示モードからライブビュー表示モードに切り替えられる。
【００４２】
処理ステップＳ７において、撮影レンズ１０６の焦点距離が変更されていないと判定された場合（Ｓ７：ＮＯ）、処理ステップＳ１２に進む。処理ステップＳ１２では、現在の撮影装置１の焦点距離が、内蔵メモリ１１８に基準画像データとして記録されている焦点距離と同じであるか否かが判定される。処理ステップＳ７において、この２つの焦点距離が同じであると判定された場合（Ｓ１２：ＹＥＳ）、処理ステップＳ１３に進む。
【００４３】
処理ステップＳ１３では、現在、固体撮像素子１１２で撮像されている被写体像（ライブビュー）と焦点距離が、所定のタイミングで基準画像データとして内蔵メモリ１１８に記録される。言い換えると、処理ステップＳ１３では、先に取得されていた基準画像データが、撮像された時間がより新しい被写体像を含む基準画像データによって更新される。
【００４４】
処理ステップＳ１２において、現在の撮影装置１の焦点距離が、内蔵メモリ１１８に記録されている被写体像を取得した焦点距離とは同じではないと判定された場合（Ｓ１２：ＮＯ）、処理ステップＳ１４に進む。
【００４５】
処理ステップＳ１４では、ＣＰＵ１００により、撮影装置１の表示モードが判定される。撮影装置１の表示モードが基準画像表示モードであると判定された場合（Ｓ１４：ＹＥＳ）、処理ステップＳ５に戻る。一方、撮影装置１の表示モードがライブビュー表示モードであると判定された場合（Ｓ１４：ＮＯ）、処理ステップＳ１５に進む。
【００４６】
なお、処理ステップＳ１４では、処理ステップＳ１４が実行される前の時点で表示モードが基準画像表示モードであり、且つ、表示モードが基準画像表示モードのまま維持されている場合に、基準画像表示モードである（Ｓ１４：ＹＥＳ）と判定される。また、処理ステップＳ１４では、処理ステップＳ１４が実行される前の時点で表示モードがライブビュー表示モードであり、且つ、ユーザにより表示モードが基準画像表示モードに切り替えられた場合においても、基準画像表示モードである（Ｓ１４：ＹＥＳ）と判定される。
【００４７】
また、処理ステップＳ１４では、処理ステップＳ１４が実行される前の時点で表示モードがライブビュー表示モードであり、且つ、表示モードがライブビュー表示モードのまま維持されている場合に、基準画像表示モードではない（Ｓ１４：ＮＯ）と判定される。また、処理ステップＳ１４では、処理ステップＳ１４が実行される前の時点で表示モードが基準画像表示モードであり、且つ、ユーザにより表示モードがライブビュー表示モードに切り替えられた場合においても、基準画像表示モードではない（Ｓ１４：ＮＯ）と判定される。
【００４８】
処理ステップＳ１５では、内蔵メモリ１１８から読み出された被写体像（基準画像）の代わりに、現在、固体撮像素子１１２によって撮像されている被写体像（ライブビュー）がＬＣＤ１２４に表示される。図６（ａ）〜図６（ｃ）は、処理ステップＳ１５において、ＬＣＤ１２４に表示される被写体像を示している。
【００４９】
図６（ａ）は、処理ステップＳ７において焦点距離が変更されたと判定され（Ｓ７：ＹＥＳ）、且つ処理ステップＳ８において変更された焦点距離が内蔵メモリ１１８に記録されている被写体像を取得した焦点距離より大きいと判定され（Ｓ８：ＹＥＳ）、且つ図５に示されるような被写体像３０ａ及び枠４０ａが表示されている状態でユーザによって表示モードがライブビュー表示モードに設定（基準画像表示モードが解除）された場合に（Ｓ１４：ＮＯ）、処理ステップＳ１５でＬＣＤ１２４に表示されるライブビューの被写体像１０ａである。図６（ａ）は、図５において枠４０ａ内に相当する画角範囲がＬＣＤ１２４全体に表示される。
【００５０】
図６（ｂ）は、処理ステップＳ７において焦点距離が変更されたと判定され（Ｓ７：ＹＥＳ）、且つ処理ステップＳ８において変更された焦点距離が内蔵メモリ１１８に記録されている被写体像を取得した焦点距離以下と判定され（Ｓ８：ＮＯ）、且つ処理ステップＳ１１で表示モードがライブビュー表示モードに設定されたまま維持された場合に（Ｓ１４：ＮＯ）、処理ステップＳ１５でＬＣＤ１２４に表示されるライブビューの被写体像１０ｂである。
【００５１】
図６（ｃ）は、処理ステップＳ７において焦点距離が変更されていないと判定され（Ｓ７：ＮＯ）、且つ処理ステップＳ１２において現在の設定されている撮影装置１の焦点距離と内蔵メモリ１１８に記録されている被写体像を取得して焦点距離が同じと判定され（Ｓ１２：ＹＥＳ）、且つ図４に示されるような被写体像３０ａが表示されている状態でユーザによって表示モードがライブビュー表示モードに切り替えられた（基準画像表示モードが解除された）場合に（Ｓ１４：ＮＯ）、処理ステップＳ１５においてＬＣＤ１２４に表示されるライブビューの被写体像１０ｃである。なお、図２のフローチャートに示される処理フローが開始した時点から、撮影装置１に対する被写体の相対位置が変わらなかった場合、図６（ｃ）に示される被写体像１０ｃと、図３に示される被写体像１０とは実質的に同じである。
【００５２】
図６（ａ）に示される被写体像１０ａは、焦点距離が、画角が狭まるように望遠側に変更されている分、図６（ｃ）に示される被写体像１０ｃよりも画角が小さい。そのため、被写体像１０ｃに含まれている被写体（例えば、天体２０ｃ）の被写体像は、被写体像１０ａには含まれていない。また、図６（ｂ）に示される被写体像１０ｂは、撮影装置１の焦点距離が、画角が広がるように広角側に変更されている分、図６（ｃ）に示される被写体像１０ｃよりも画角が大きい。そのため、被写体像１０ｂには、被写体像１０ｃに含まれていない被写体（例えば、天体２０ｂ）の被写体像が含まれている。
【００５３】
なお、処理ステップＳ１４において、撮影装置１の表示モードが基準画像表示モードであると判定された場合（Ｓ１４：ＹＥＳ）、処理ステップＳ５に戻り、Ｓ５からＳ１４までの処理ステップが再度又は繰り返し実行される。そのため、撮影装置１の画角は、一度狭まるように（望遠側に）変更された後に広がるように（広角側に）戻される場合や、一度広がるように（広角側に）変更された後に狭まるように（望遠側に）戻される場合がある。そのため、処理ステップＳ１５においてＬＣＤ１２４に表示されるライブビューの被写体像は、図６（ａ）〜図６（ｃ）に示されるライブビューの被写体像の画角が維持されるわけではない。
【００５４】
処理ステップＳ１６では、ＣＰＵ１００により、ユーザによって操作部１０２に対して撮影装置１の表示モードがライブビュー表示モードからを基準画像表示モードに切り替える操作が行われたか否かが判定される。基準画像表示モードに切り替える操作が行われたと判定された場合（Ｓ１６：ＹＥＳ）、処理ステップＳ５に戻る。撮影装置１が基準画像表示モードに切り替えられていないと判定された場合（Ｓ１６：ＮＯ）、処理ステップＳ１７に進む。
【００５５】
処理ステップＳ１７では、ＣＰＵ１００により、撮影装置１が基準画像記録モードであるか否かが判定される。撮影装置１が基準画像記録モードであると判定された場合（Ｓ１７：ＹＥＳ）、処理ステップＳ１５に戻る。撮影装置１が基準画像記録モードではないと判定された場合（Ｓ１７：ＮＯ）、基準画像記録モードにおける撮影装置１の制御処理が終了する。なお、処理ステップＳ１５からＳ１７までの処理は、表示モードが基準画像表示モードに切り替えられるまで（Ｓ１６：ＹＥＳ）、又は基準画像記録モードではないと判定されるまで（Ｓ１７：ＮＯ）、繰り返し実行される。処理ステップＳ１５からＳ１７までの処理が実行される間は、ＬＣＤ１２４にはライブビューが表示され続ける。
【００５６】
このように、本実施形態では、撮影装置１が基準画像表示モードである場合、ＬＣＤ１２４には、内蔵メモリ１１８から読み出された被写体像（基準画像）（３０ａ）と共に現在の撮影装置１の画角を表す枠（４０ａ）が表示される。そのため、撮影装置１の画角が広角側から望遠側に変更された場合に（Ｓ８：ＹＥＳ）、ユーザは、ＬＣＤ１２４に表示される枠（４０ａ）内の被写体像（３０ａ）を見ることにより、現在、個体撮像素子１１２によって撮像されている被写体像（ライブビュー）の画角を確認できると共に、撮像されている被写体と基準画像によって示される周囲の被写体との位置関係を把握することができる。
【００５７】
また、本実施形態では、撮影装置１の表示モードが基準画像表示モードに設定されている場合、処理ステップＳ５から処理ステップＳ１４までの処理が繰り返し実行される。そのため、撮影装置１の画角が、内蔵メモリ１１８に記録されている被写体像の大きさ以下の範囲で変更される場合、図２に示されるフローチャートにおいて、処理ステップＳ７以降では、処理ステップＳ８、Ｓ９、Ｓ１４を通る経路（Ｓ７：ＹＥＳ、Ｓ８：ＹＥＳ）か、処理ステップＳ１２、Ｓ１４を通る経路（Ｓ７：ＮＯ、Ｓ１２：ＮＯ）の何れかに沿って処理が実行される。この場合、内蔵メモリ１１８に記録される基準画像は更新されないが、ＬＣＤ１２４に表示される枠の大きさは画角の大きさに連動して変更される。そのため、ユーザは、ＬＣＤ１２４に表示される枠の大きさが画角に応じてリアルタイムで変更しているように実感でき、所望の画角を得るための撮影レンズ１０６の調節が容易となる。なお、撮影装置１の画角が、内蔵メモリ１１８に記録されている被写体像の大きさよりも大きくなるように変更された場合は（Ｓ８：ＮＯ）、撮影装置１の表示モードはライブビュー表示モードに切り替わる（Ｓ１１）。
【００５８】
また、本実施形態では、ユーザは、表示モードをライブビュー表示モードと基準画像表示モードとの間で切り替えることができる。詳しくは、ユーザは、撮影レンズ１０６の焦点距離を基準画像データとして記録されている焦点距離以下とする（Ｓ７：ＹＥＳ、Ｓ８：ＮＯ、Ｓ１１）、又は、表示モードをライブビュー表示モードに切り替える（Ｓ１４：ＮＯ）ことにより、表示モードを基準画像表示モードからライブビュー表示モードに切り替えることができる。また、ユーザは、処理ステップＳ１４又はＳ１６において、表示モードをライブビュー表示モードから基準画像表示モードに切り替えることができる。これにより、ユーザは、ライブビューと静止画像である基準画像とを交互に見比べることができる。
【００５９】
特に、撮影レンズ１０６のズーム比が大きい場合や、色や形状が似ている複数の被写体の一部を撮影する場合、撮影レンズ１０６の焦点距離を、画角が狭まるように（望遠側に）変更すると、現在撮像されている被写体像が、所望の被写体像であるか否かの判別が難しくなる。しかし、本実施形態によれば、被写体像の判別が難しい場合においても、撮影装置１の表示モードをライブビュー表示モードと基準画像表示モードとの間で切り替えることにより、現在撮像されている被写体像とその周囲の被写体像との位置関係から、被写体像の判別を容易に行うことができる。
【００６０】
図７（ａ）、図７（ｂ）は、ズーム比の大きな撮影レンズ１０６を用い、焦点距離を、画角が狭まるように（広角側から望遠側に）変更した場合に、図２に示される撮影装置１の制御処理によってＬＣＤ１２４に表示される被写体像の例である。詳細には、図７（ａ）は、基準画像表示モードにおいて、撮影装置１の画角が広角側に設定されている時に撮像され内蔵メモリ１１８に記録された被写体像（基準画像）３０ｄが表示されている状態を示す。枠４０ｄは、現時点の（すなわち、望遠側に設定されている）撮影装置１の画角を表している。
【００６１】
図７（ｂ）は、ＬＣＤ１２４に図７（ａ）に示される表示画面が表示されている状態で、撮影装置１の表示モードが基準画像表示モードからライブビュー表示モードに切り替えられた場合のＬＣＤ１２４の表示画面である。図７（ｂ）において、被写体像１０ｄには、１つの天体２０ｄが含まれている。図７（ｂ）に示されるように、撮影装置１の画角が望遠側に設定されている場合、ライブビューの被写体像１０ｄのみを見て、この被写体（天体２０ｄ）が所望の被写体（天体）であるか否かの判定を行うのは困難である。それに対し本実施形態によれば、撮影装置１の表示モードを基準画像表示モード（図７（ａ））に切り替えることにより、天体２０ｄと周囲の天体との位置関係を把握できるようになる。そのため、ユーザは、天体２０ｄが所望の天体であるか否かを容易に判断することができる。
【００６２】
また、上記の第１の実施形態では、撮影レンズ１０６のレンズを移動させることにより、撮影レンズ１０６の焦点距離（ｆ）を変更する場合について説明したが、本実施形態はこれに限定されない。撮影レンズ１０６の焦点距離は、撮影レンズ１０６としてズームレンズやバリフォーカルレンズを用いることによって変更されても良く、撮影装置１に取り付ける撮影レンズ１０６を焦点距離の異なるものに交換することによって変更されても良い。
【００６３】
また、撮影レンズ１０６としてバリフォーカルレンズを使用する場合や、撮影レンズ１０６を交換することによって撮影レンズ１０６の焦点距離を変更する場合、焦点距離の変化に伴ってピント位置が変化する。また、撮影レンズ１０６として、焦点距離の変化に伴ってピント位置が変化しないズームレンズを使用する場合においても、ズームレンズの仕様や撮影する被写体によっては、焦点距離毎に最適なピント位置が僅かに変化する。そのため、望遠側で撮像している被写体とその周囲の被写体との位置関係を確認するために、撮影レンズ１０６の焦点距離を望遠側から広角側に変更し、広角側でピント調整が行われると、望遠側で設定されていたピント位置がズレてしまう。そのため、撮影レンズ１０６の焦点距離を再度望遠側に戻した場合に、被写体像のピント調整をやり直す必要がある。これに対し、本実施形態では、撮影装置１の表示モードをライブビュー表示モードから基準画像表示モードに切り替えることにより、望遠側で撮像されている被写体とその周囲の被写体との位置関係を確認することができる。この基準画像表示モードへの切り替え時には、撮影レンズ１０６の焦点距離は変更されないため、被写体の位置関係を確認する際にピント位置がズレてしまうという問題は発生しない。
【００６４】
（第２の実施形態）
次に、本発明の第２の実施形態の撮影装置１について説明する。本発明の第２の実施形態は、撮影装置１の表示モードが基準画像表示モードに設定されている場合に、固体撮像素子１１２の位置に応じて撮影装置１の画角及びＬＣＤ１２４に表示される枠の位置が変更されること以外は第１の実施形態と同じである。従って、以下では、第２の実施形態における撮影装置１の画角及び枠の表示位置の変更処理について説明することとし、また、説明の便宜の為、第１の実施形態と同等の構成要素には同一の符号を用いることとする。
【００６５】
上述のように、撮影装置１のブレ補正機能が有効に設定されている場合、固体撮像素子１１２は、ジャイロセンサ１３０からの出力に基づいて計算された撮影装置１の回転角度及び回転方向に基づいて移動又は回転される。一方、撮影装置１のブレ補正機能が無効に設定されている場合、ユーザによる操作部１０２に対する操作に応じて固体撮像素子１１２を手動で移動又は回転させることができる。固体撮像素子１１２を手動で移動又は回転させることにより、撮影装置１による撮影方向が変化し、撮影装置１の画角を移動させることができる。
【００６６】
第２の実施形態では、固体撮像素子１１２が手動で移動又は回転されると、固体撮像素子１１２の移動量、移動方向、回転角度及び回転方向に応じて、基準画像表示モードにおいてＬＣＤ１２４に表示されている枠の位置及び傾きが変更される。図８（ａ）、図８（ｂ）は、第２の実施形態における、固体撮像素子１１２の位置が変更された場合において、ＬＣＤ１２４に表示される被写体像及び枠を例示している。
【００６７】
図８（ａ）は、撮影装置１の表示モードが基準画像表示モードに設定されている場合に、ＬＣＤ１２４に表示される被写体像及び枠を例示している。被写体像３０ｅは、撮影装置１の焦点距離（画角）が広角側に設定されている時に撮像され内蔵メモリ１１８に記録された被写体像（基準画像）である。枠４０ｅ１、４０ｅ２はいずれも、望遠側に設定されている撮影装置１の画角を表している。詳細には、破線で示された枠４０ｅ１は、固体撮像素子１１２が手動で移動される前（内蔵メモリ１１８に被写体像３０ｅが記録された時点）に記録した固体撮像素子１１２の中心位置に対する、現在望遠側に設定されている撮影装置１の焦点距離（画角）に相当する枠を示している。実線で示された枠４０ｅ２は、固体撮像素子１１２が手動で移動された後に表示されている枠を示している。図８（ａ）に示されるように、枠の表示位置は、固体撮像素子１１２の位置に応じて変化する。そのため、ユーザは、ＬＣＤ１２４を見ることにより、固体撮像素子１１２の位置を変更することによって撮影装置１の画角の位置がどのように変化するのかを容易に視認することができる。
【００６８】
図８（ｂ）は、撮影装置１の表示モードが基準画像表示モードに設定されている場合に、ＬＣＤ１２４に表示される被写体像及び枠を例示している。被写体像３０ｆは、撮影装置１の画角が所定の大きさである時に撮像され内蔵メモリ１１８に記録された被写体像（基準画像）である。枠４０ｆは、撮影装置１の画角の大きさ（撮影レンズ１０６の焦点距離）は変更されずに固体撮像素子１１２が手動で移動された場合に表示される枠を示している。図８（ｂ）に示されるように、撮影装置１の画角の大きさが変更されない場合においても、枠の表示位置は固体撮像素子１１２の位置に応じて変化する。
【００６９】
固体撮像素子１１２の移動は、撮影装置１の表示モードがライブビュー表示モードと基準画像表示モードのどちらに設定されているかに拘らず、ユーザは、操作部１０２に対する操作に応じて固体撮像素子１１２を手動で移動又は回転させることができる。そのため、表示モードがライブビュー表示モードに設定されている間に固体撮像素子１１２が移動された場合、表示モードが基準画像表示モードに切り替わると、ＬＣＤ１２４上の、移動された固体撮像素子１１２の位置に応じた位置に枠が表示される。また、表示モードが基準画像表示モードに設定されている間に固体撮像素子１１２が移動された場合、固体撮像素子１１２の移動に伴って、ＬＣＤ１２４に表示されている枠の位置が移動する。
【００７０】
（第３の実施形態）
次に、本発明の第３の実施形態の撮影装置１について説明する。本発明の第３の実施形態は、撮影装置１の表示モードが基準画像表示モードに設定されている場合に、ジャイロセンサ１３０又は加速度センサ１３２の出力に応じて撮影装置１の画角及びＬＣＤ１２４に表示される枠の位置が変更されること以外は第１の実施形態と同じである。従って、以下では、第３の実施形態における撮影装置１の画角及び枠の表示位置の変更処理について説明することとし、また、説明の便宜の為、第１の実施形態と同等の構成要素には同一の符号を用いることとする。
【００７１】
第３の実施形態では、図２に示されるフローチャートの処理ステップＳ３において、撮影装置１の表示モードがライブビュー表示モードから基準画像表示モードに切り替わった時点における撮影装置１の設置状態を基準として、撮影装置１の設置状態の変化が計算される。具体的には、基準の設置状態から撮影装置１が回転した場合、回転角度及び回転方向（ロール、ピッチ、パン）がジャイロセンサ１３０又は加速センサ１３２からの出力に基づいて計算される。また、基準の設置状態から撮影装置１が平行移動した場合、移動距離及び移動方向が加速度センサ１３２からの出力に基づいて計算される。
【００７２】
撮影装置１に回転と平行移動を含む設置状態の変化が発生すると、撮影装置１による撮影方向又は撮影装置１に対する被写体の相対位置が変化する。撮影方向又は被写体の相対位置が変化すると、固体撮像素子１１２によって撮像される被写体の範囲（画角）が移動する。第３の実施形態では、撮影装置１の設置状態の変化に伴う画角の移動に応じて、基準画像表示モードにおいてＬＣＤ１２４に表示される枠の位置及び傾きが変更される。そのため、ユーザは、ＬＣＤ１２４を見ることにより、撮影装置１の設置状態が変化することによって画角の位置がどのように変化するかを容易に視認することができる。また、ユーザは、ＬＣＤ１２４上における枠の位置を見ることにより、撮影装置１の設置状態が変化しているかどうかを確認することができる。
【００７３】
なお、第３の実施形態の撮影装置１と第２の実施形態の撮影装置１とは、撮影装置１の画角が変化（回転と平行移動を含む）された場合に、画角の変化に応じてＬＣＤ１２４に表示される枠の位置が変更されるという点では同じである。ただし、第２の実施形態では、固体撮像素子１１２の受光面に垂直な面内における移動に応じて枠の位置が変更されるのに対し、第３の実施形態では、撮影装置１の設置状態の変化に応じて枠の位置が変更される点で異なる。
【００７４】
（第４の実施形態）
次に、本発明の第４の実施形態の撮影装置１について説明する。本発明の第４の実施形態は、撮影装置１の表示モードが基準画像表示モードに設定されている場合に、加速度センサ１３２、ＧＰＳセンサ１３４及び方位センサ１３６の出力に応じて撮影装置１の画角及びＬＣＤ１２４に表示される枠の位置が変更されること以外は第１の実施形態と同じである。従って、以下では、第４の実施形態における撮影装置１の画角及び枠の表示位置の変更処理について説明することとし、また、説明の便宜の為、第１の実施形態と同等の構成要素には同一の符号を用いることとする。
【００７５】
第４の実施形態の撮影装置１は、天体追尾機能を有している。撮影装置１の天体追尾機能が有効になっている場合、ＣＰＵ１００は、基準となる時間（図２に示されるフローチャートにおいて、処理ステップＳ３において撮影装置１の表示モードが基準画像表示モードに切り替わった時間）における撮影装置１の位置を基準として、撮影装置１に対する被写体の相対位置の変化を計算する。例えば、撮影装置１により天体撮影を行っている場合、地球の自転により撮影装置１に対する天体の相対位置は時間の経過に伴って変化する。この相対位置の変化は、撮影装置１の位置（経度、緯度）、撮影装置１の光軸の方位、仰角、姿勢（ロール）等に基づいて予測（計算）することができる。そのため、所定の時間間隔で撮影装置１と天体との相対位置を計算し、計算された相対位置に基づいて固体撮像素子１１２を移動又は回転させることにより、撮影装置１の画角を天体の動きに追従して移動させることができる。
【００７６】
図９（ａ）〜図９（ｄ）は、第４の実施形態において、ＬＣＤ１２４に表示される被写体像を示している。図９（ａ）は、撮影装置１が基準画像表示モードである場合に、ある時点（以下、「基準時間」と記す）記録され（図２のＳ４）、ＬＣＤ１２４に表示される被写体像（基準画像）３０ｇ及び枠４０ｇを示している。すなわち、被写体像３０ｇは、撮影レンズ１０６の焦点距離が広角側に設定されている時に撮像され内蔵メモリ１１８に記録された被写体像である。枠４０ｇは、現時点において望遠側に設定されている撮影装置１の画角を表している。枠４０ｇ内には、天体２０ｇの被写体像が含まれており、固体撮像素子１１２によって天体２０ｇが撮像されている。
【００７７】
図９（ｂ）は、撮影装置１の表示モードが基準画像表示モードである時に図９（ａ）に示される被写体像３０ｇ及び枠４０ｇが表示されている場合に、撮影装置１の表示モードがライブビュー表示モードに切り替えられた場合にＬＣＤ１２４に表示される被写体像（ライブビュー）１０ｇを示している。撮影装置１に対する被写体の相対位置が変わらなかった場合、図９（ｂ）に示されるライブビュー表示モードにおける被写体（ライブビュー）１０ｇは、図９（ａ）に示される基準画像表示モードにおける枠４０ｇ内の被写体像（静止画像）３０ｇと実質的に同じである。
【００７８】
図９（ｃ）は、撮影装置１の表示モードが基準画像表示モードである場合に、基準時間から所定時間経過後に、ＬＣＤ１２４に表示される被写体像及び枠を示している。被写体像３０ｇ１は、内蔵メモリ１１８に記録された被写体像であり、使用されている基準画像データは、図９（ａ）に示されている被写体像３０ｇの表示に使用される基準画像データを同じである。ただし、図９（ｃ）に示される被写体像３０ｇ１のＬＣＤ１２４内の表示位置は、図９（ａ）に示される被写体像３０ｇの表示位置から変更されている。また、破線で示された枠４０ｇ１は、基準時間においてＬＣＤ１２４に表示されていた枠（枠４０ｇ）を示している。実線で示された枠４０ｇ２ｈは、基準時間から所定の時間経過後に表示されている枠を示している。
【００７９】
時間経過に伴って撮影装置１に対する被写体（天体）の相対位置が変化すると、基準時間に撮影され内蔵メモリ１１８に記録された被写体像と、現在固体撮像素子１１２によって記録されている被写体像と間に、撮影方向のズレが生じる。言い換えると、現在固体撮像素子１１２によって記録されている被写体像の画角は、基準時間に撮影され内蔵メモリ１１８に記録された被写体像の画角から、時間経過に伴って所定距離移動する。第４の実施形態では、図９（ｃ）に示されるように、時間経過に伴う撮影装置１に対する被写体（天体）の相対位置の変化に応じて固体撮像素子１１２が移動し、撮影装置１の画角及びＬＣＤ１２４に表示される枠の表示位置が移動する。そのため、時間経過に伴って撮影装置１に対する相対位置が変化する被写体を撮影する場合においても、所望の被写体を撮影装置１の画角内に納めることができる。また、時間経過に伴う撮影装置１に対する被写体（天体）の相対位置の変化に応じて、基準画像表示モードで表示される被写体像（３０ｇ、３０ｇ１）の表示位置が変更される。そのため、ユーザは、基準画像表示モードにおけるＬＣＤ１２４を見ることにより、撮影装置１に対して被写体の相対位置が変化していることを視認することができる。
【００８０】
図９（ｄ）は、撮影装置１の表示モードが基準画像表示モードである場合に、基準時間から所定時間経過後に、ＬＣＤ１２４に表示される被写体像（基準画像）及び枠の別の表示形態を示している。被写体像３０ｇは、内蔵メモリ１１８に記録された被写体像であり、使用されている基準画像データ及び被写体像の表示位置は、図９（ａ）に示されている被写体像３０ｇと同じである。また、破線で示された枠４０ｇ１は、基準時間においてＬＣＤ１２４に表示されていた枠（枠４０ｇ）を示している。実線で示された枠４０ｇ２は、基準時間から所定の時間経過後に表示されている枠を示している。図９（ｄ）に示される表示形態では、時間経過に伴って被写体像３０ｇの表示位置は変更されず、枠の表示位置のみが変更される。そのため、ユーザは、基準画像表示モードにおけるＬＣＤ１２４を見ることにより、時間経過に伴って、撮影装置１の画角がどの方向にどの程度移動しているかを視認することができる。
【００８１】
（第５の実施形態）
次に、本発明の第５の実施形態の撮影装置１について説明する。本発明の第５の実施形態は、撮影装置１の表示モードが基準画像表示モードに設定されている場合に、内蔵メモリ１１８に記憶されている被写体像（基準画像データ）と固体撮像素子１１２によって撮像されている被写体像（ライブビュー）との比較結果に基づいて撮影装置１の画角及びＬＣＤ１２４に表示される枠の位置が変更されること以外は第１の実施形態と同じである。従って、以下では、第５の実施形態における枠の表示位置の変更処理について説明することとし、また、説明の便宜の為、第１の実施形態と同等の構成要素には同一の符号を用いることとする。
【００８２】
第５の実施形態の撮影装置１は、動体追尾機能を有している。撮影装置１の動体追尾機能が有効になっている場合、ＣＰＵ１００は、基準となる時間（例えば、図２に示されるフローチャートの処理ステップＳ３において、撮影装置１の表示モードが基準画像表示モードに切り替わった時間）における撮影装置１の設置状態を基準として、撮影装置１に対する被写体の相対位置の変化を計算する。具体的には、撮影装置１により天体撮影を行っている場合、地球の自転により撮影装置１に対する天体の相対位置は時間の経過に伴って変化する。この相対位置の変化は、基準となる時間に撮影された被写体像と現在撮影されている被写体像とを比較することによって計算することができる。そのため、所定の時間間隔で天体の相対位置を計算し、計算された相対位置に基づいて固体撮像素子１１２を移動又は回転させることにより、撮影装置１の画角を天体の動きに追従して移動させることができる。
【００８３】
なお、第５の実施形態の撮影装置１と第４の実施形態の撮影装置１とは、時間経過に伴って撮影装置１に対する被写体の相対位置が変化する場合に、撮影装置１の画角を被写体に追従するように移動させるという点では同じである。ただし、第４の実施形態では、各センサ（加速度センサ１３２、ＧＰＳセンサ１３４、方位センサ１３６）からの出力を用いて被写体の相対位置の変化を予測するのに対し、第５の実施形態では、各センサからの出力を用いずに、異なる時間に撮影された複数の被写体像を比較することによって被写体の相対位置の変化を計算している点で異なる。また、第５の実施形態の撮影装置１は、被写体の相対位置の変化を予測しているのではなく、実際の被写体の相対位置の変化を検知している。そのため、第５の実施形態の撮影装置１は、被写体の相対位置の変化を予測できない場合においても、撮影装置１の画角を被写体に追従させることができる。
【００８４】
（変形例）
また、上述の第１の実施形態における、基準画像記録モードにおける撮影装置１の動作は、図２に示されるフローに限定されない。図１１は、第１の実施形態の変形例における、撮影装置１の動作に関するフローチャートである。
【００８５】
処理ステップＳ１０１では、ＣＰＵ１００により、撮影装置１の待機動作モードが基準画像記録モードであるか否かが判定される。処理ステップＳ１０１において、撮影装置１の待機動作モードが基準画像記録モードではないと判定された場合（Ｓ１０１：ＮＯ）、基準画像記録モードにおける撮影装置１の制御処理が終了する。撮影装置１の待機動作モードが基準画像記録モードであると判定された場合（Ｓ１０１：ＹＥＳ）、処理ステップＳ１０２に進む。撮影装置１は、基準画像記録モードにおいて、ライブビュー表示モードと基準画像表示モードとの２つの表示モードを有する。撮影装置１の表示モードは、デフォルトではライブビュー表示モードに設定される。処理ステップＳ１０２では、ＬＣＤ１２４にライブビューの被写体像が表示される。
【００８６】
処理ステップＳ１０３では、現在撮像されているライブビューの被写体像と撮影レンズ１０６の焦点距離（ｆ）が、基準画像データとして撮影装置１の内蔵メモリ１１８に記録される。既に内蔵メモリ１１８に基準画像データが記録されている場合は、現在の基準画像データによって更新される。基準画像データが内蔵メモリ１１８に記録（更新）されると、処理ステップＳ１０４に進む。
【００８７】
処理ステップＳ１０４では、ＣＰＵ１００により、撮影装置１の待機動作モードが基準画像記録モードであるか否かが判定される。待機動作モードが基準画像記録モードであると判定された場合（Ｓ１０４：ＹＥＳ）、処理ステップＳ１０５に進む。一方、待機動作モードが基準画像記録モードではないと判定された場合（Ｓ１０４：ＮＯ）、基準画像記録モードにおける撮影装置１の制御処理が終了する。
【００８８】
処理ステップＳ１０５では、現在の焦点距離と、基準画像データとして内蔵メモリ１１８に記録されている焦点距離とが比較される。処理ステップＳ１０５において、現在の焦点距離が、基準画像データとして記録されている焦点距離より大きい（望遠側）と判定された場合（Ｓ１０５：ＹＥＳ）、処理ステップＳ１０６に進む。処理ステップＳ１０６では、撮影装置１の表示モードが、ライブビュー表示モードから基準画像表示モードに変更される。また、撮影装置１の表示モードが基準画像表示モードであった場合は、表示モードはそのまま維持される。次いで、内蔵メモリ１１８に記録されている基準画像、及び現在の焦点距離に対応する画角を表す枠がＬＣＤ１２４に表示される。
【００８９】
処理ステップＳ１０７では、ユーザによって撮影装置１の表示モードが基準画像表示モードからライブビュー表示モードに切り替える操作が行われたか否かが判定される。処理ステップＳ１０７で、ユーザによって操作部１０２に対してライブビュー表示モードに切り替える操作が行われていないと判定された場合（Ｓ１０７：ＮＯ）、処理ステップＳ１０４に戻る。一方、ユーザによって操作部１０２に対してライブビュー表示モードに切り替える操作が行われたと判定された場合（Ｓ１０７：ＹＥＳ）、処理ステップＳ１０８に進む。処理ステップＳ１０８では、現在撮像されているライブビューがＬＣＤ１２４に表示される。
【００９０】
処理ステップＳ１０９では、ユーザによって操作部１０２に対して撮影装置１の表示モードをリセットする操作が行われたか否かが判定される。処理ステップＳ１０９で、ユーザによって操作部１０２に対して表示モードをリセットする操作が行われたと判定された場合（Ｓ１０９：ＹＥＳ）、処理ステップＳ１０４に戻る。一方、ユーザによって操作部１０２に対して表示モードをリセットする操作が行われていないと判定された場合（Ｓ１０９：ＮＯ）、処理ステップＳ１１０に進む。
【００９１】
処理ステップＳ１１０では、ＣＰＵ１００により、撮影装置１の待機動作モードが基準画像記録モードであるか否かが判定される。待機動作モードが基準画像記録モードであると判定された場合（Ｓ１１０：ＹＥＳ）、処理ステップＳ１０８に戻る。一方、待機動作モードが基準画像記録モードではないと判定された場合（Ｓ１１０：ＮＯ）、基準画像記録モードにおける撮影装置１の制御処理が終了する。
【００９２】
また、処理ステップＳ１０５において、現在の焦点距離が、基準画像データとして記録されている焦点距離以下（広角側）と判定された場合（Ｓ１０５：ＮＯ）、処理ステップＳ１１１に進む。処理ステップＳ１１１では、撮影装置１の表示モードが、基準画像表示モードからライブビュー表示モードに変更される。また、処理ステップＳ１１１では、現在撮像されているライブビューの被写体像がＬＣＤ１２４に表示される。
【００９３】
処理ステップＳ１１２では、現在撮像されているライブビューの被写体像と撮影レンズ１０６の焦点距離（ｆ）が、基準画像データとして撮影装置１の内蔵メモリ１１８に記録される。既に、内蔵メモリ１１８に基準画像データが記録されている場合は、現在の基準画像データによって更新される。基準画像データが内蔵メモリ１１８に記録（更新）されると、処理ステップＳ１１３に進む。
【００９４】
処理ステップＳ１１３では、ユーザによって操作部１０２に対して撮影装置１の表示モードがライブビュー表示モードから基準画像表示モードに切り替える操作が行われたか否かが判定される。処理ステップＳ１１３で、ユーザによって操作部１０２に対して基準画像表示モードに切り替える操作が行われていないと判定された場合（Ｓ１１３：ＮＯ）、処理ステップＳ１０４に戻る。一方、ユーザによって操作部１０２に対して基準画像表示モードに切り替える操作が行われたと判定された場合（Ｓ１１３：ＹＥＳ）、処理ステップＳ１１４に進む。処理ステップＳ１１４では、内蔵メモリ１１８に記録されている基準画像、及び現在の焦点距離に対応する画角を表す枠がＬＣＤ１２４に表示される。
【００９５】
処理ステップＳ１１５では、ユーザによって操作部１０２に対して撮影装置１の表示モードをリセットする操作が行われたか否かが判定される。処理ステップＳ１１５で、ユーザによって操作部１０２に対して表示モードをリセットする操作が行われたと判定された場合（Ｓ１１５：ＹＥＳ）、処理ステップＳ１０４に戻る。一方、ユーザによって操作部１０２に対して表示モードをリセットする操作が行われていないと判定された場合（Ｓ１１５：ＮＯ）、処理ステップＳ１１６に進む。
【００９６】
処理ステップＳ１１６では、ＣＰＵ１００により、撮影装置１の待機動作モードが基準画像記録モードであるか否かが判定される。待機動作モードが基準画像記録モードであると判定された場合（Ｓ１１６：ＹＥＳ）、処理ステップＳ１１４に戻る。一方、待機動作モードが基準画像記録モードではないと判定された場合（Ｓ１１６：ＮＯ）、基準画像記録モードにおける撮影装置１の制御処理が終了する。
【００９７】
本変形例では、現在の焦点距離と基準画像データとして記録されている焦点距離との大小関係に応じて、撮影装置１の表示モードが自動で切り替わる（Ｓ１０６、Ｓ１１１）。そのため、ユーザが操作部１０２に対して表示モードを切り替える操作を入力することなく、表示モードを切り替えることができる。
【００９８】
また、ユーザは、操作部１０２を操作することにより、撮影装置１の表示モードを手動で切り替えることができる（Ｓ１０７、Ｓ１１３）。ユーザが手動で表示モードを切り替えた場合、現在の焦点距離が変更されても表示モードは変更されない。そのため、ユーザが表示モードをライブビュー表示モードに設定した場合は、撮影レンズ１０６の焦点距離を自由に変更しながら現在撮影されているライブビューを確認することができる。また、ユーザが表示モードを基準画像表示モードに設定した場合は、現在基準画像データとして記録されている基準画像を確認することができる。
【００９９】
また、上述の第１の実施形態では、撮影装置１の表示モードが基準画像表示モードに設定されている場合はＬＣＤ１２４に内蔵メモリ１１８に記録された被写体像（基準画像）が表示され、ライブビュー表示モードに設定されている場合はＬＣＤ１２４にライブビューが表示されるが、本実施形態はこれに限定されない。
【０１００】
図１０（ａ）、図１０（ｂ）は、第１の実施形態の別の変形例におけるＬＣＤ１２４の表示画面を示す。図１０（ａ）は、撮影装置１の表示モードが基準画像表示モードに設定されている場合のＬＣＤ１２４の表示画面を示す。図１０（ｂ）は、撮影装置１の表示モードがライブビュー表示モードに設定されている場合のＬＣＤ１２４の表示画面を示す。
【０１０１】
本変形例では、撮影装置１の表示モードが基準画像表示モードに設定されている場合、図１０（ａ）に示されるように、内蔵メモリ１１８に記録された被写体像（基準画像）３０ｈと撮影装置１の画角を表す枠４０ｈがＬＣＤ１２４に表示されると共に、ＬＣＤ１２４の一部に、現在固体撮像素子１１２で撮像されている被写体像（ライブビュー）１０ｈが表示される。また、撮影装置１の表示モードがライブビュー表示モードに設定されている場合、図１０（ｂ）に示されるように、現在固体撮像素子１１２で撮像されている被写体像（ライブビュー）１０ｈがＬＣＤ１２４に表示されると共に、ＬＣＤ１２４の一部に、内蔵メモリ１１８に記録された被写体像（基準画像）３０ｈと枠４０ｈが表示される。このように、本変形例では、ユーザは、現在撮像されている被写体像（１０ｈ）と、その周囲の被写体像（３０ｈ）を同時に視認することができる。
【０１０２】
また、上述の第１の実施形態では、撮影装置１の表示モードが基準画像表示モードである場合に、基準画像データ（ライブビューの被写体像及びその時点における撮影レンズ１０６の焦点距離）が所定のタイミングで自動的に内蔵メモリ１１８に記録される（Ｓ４、Ｓ１０、Ｓ１３）が、本実施形態はこれに限定されない。基準画像データを内蔵メモリ１１８に記録するタイミングは、ユーザによって手動で指定されてもよい。また、一度内蔵メモリ１１８に記録された基準画像データの削除や更新についても、ユーザによって手動で行われてもよい。更に、基準画像データを自動で記録するか、手動で記録するかを切り替え可能であっても良い。
【０１０３】
また、上述の第１の実施形態では、撮影装置１の表示モードが基準画像表示モードである場合に、撮影レンズ１０６の焦点距離が、現在内蔵メモリ１１８に記録されている被写体像が撮影された時の焦点距離（基準画像データとして記録されている焦点距離）以下であると判定されると（Ｓ７：ＹＥＳ、Ｓ８：ＮＯ）、処理ステップＳ１１で表示モードが基準画像表示モードからライブビュー表示モードに切り替わるが、本実施形態はこれに限定されない。詳しくは、本実施形態における撮影装置１の表示モードは、処理ステップＳ８における判定結果によらず、基準画像表示モードが維持されても良い。これは、図２における処理ステップＳ１１をスキップ（削除）することによって実現される。このような構成によれば、撮影レンズ１０６の焦点距離を変更することによって表示モードが自動で切り替わることが無いため、ユーザの所望のタイミングで表示モードを切り替えることができる。
【０１０４】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【符号の説明】
【０１０５】
１  撮影装置
１０  被写体像（ライブビュー）
２０  天体
３０  被写体像（基準画像）
４０  枠
１００  ＣＰＵ
１０２  操作部
１０４  絞り・シャッタ駆動回路
１０６  撮影レンズ
１０７  レンズ駆動機構
１０８  焦点距離検出回路
１０９  絞り
１１０  シャッタ
１１１  レンズ駆動回路
１１２  固体撮像素子
１１３  撮像素子補正機構
１１４  信号処理回路
１１６  画像処理エンジン
１１８  内蔵メモリ
１２０  カード用インタフェース
１２２  ＬＣＤ制御回路
１２４  ＬＣＤ
１２６  ＲＯＭ
１３０  ジャイロセンサ
１３２  加速度センサ
１３４  ＧＰＳセンサ
１３６  方位センサ
２００  メモリカード
【図１】
2016086289.tif 000003
【図２】
2016086289.tif 000004
【図３】
2016086289.tif 000005
【図４】
2016086289.tif 000006
【図５】
2016086289.tif 000007
【図６】
2016086289.tif 000008
【図７】
2016086289.tif 000009
【図８】
2016086289.tif 000010
【図９】
2016086289.tif 000011
【図１０】
2016086289.tif 000012
【図１１】
2016086289.tif 000013